(57)【要約】  装着型インスリンポンプであることが好まし個人用の携帯型医療デバイス（１）は、ウェブサーバを備え、ブラウザを装備したクライアント（４）によってネットワーク（３）経由で制御可能である。これにより、非常に包括的で快適な制御及び／又はコンフィギュレーションが可能になる。【選択図】図１
2008538708.tif 000002
【特許請求の範囲】
【請求項１】
携帯型、装着型、埋込型、又は半埋込型の医療デバイス（１）、特に、ポケットサイズ又はポケットサイズ未満の医療デバイスであって、
ハウジング（２）と、
前記医療デバイス、特にその機能ユニットを制御するようになった前記ハウジング内のデバイス制御ユニット（５）と、
前記ハウジング内の無線ウェブ対応ユニットと、
を備え、前記無線ウェブ対応ユニットが、
ｉ．データ／メッセージ／ウェブコンテンツを無線で送受信するための受信器及び送信器を含む無線インターフェイス制御ユニット（８）と、
ｉｉ．前記無線インターフェイス制御ユニットに接続されると共に前記医療デバイス制御ユニットに接続されるウェブ対応ユニット（６、７）と、
を備え、前記無線インターフェイス制御ユニット及び前記ウェブ対応ユニットが、前記医療デバイス制御ユニットをウェブベース無線ネットワーク（３）に接続するように構成され、前記医療デバイスが、無線でウェブ対応であり、特に、前記ハウジング内に前記無線ウェブ対応機器を直接組み込んだ、ポケットサイズ又はポケットサイズ未満の医療デバイスであることを特徴とする医療デバイス。
【請求項２】
前記医療デバイスが、該デバイスを携帯する患者に薬物を連続的に投与するための注入デバイスであることを特徴とする請求項１に記載の医療デバイス。
【請求項３】
前記注入デバイスがインスリンポンプであることを特徴とする請求項２に記載の医療デバイス。
【請求項４】
前記医療デバイスが、間欠的ストリップ測定形式のグルコース測定デバイスであることを特徴とする請求項１に記載の医療デバイス。
【請求項５】
前記医療デバイスが、連続測定形式のグルコース測定デバイスであることを特徴とする請求項１に記載の医療デバイス。
【請求項６】
前記医療デバイスが、所定用量の液体を送出するものであり、特に、インスリンペンであることを特徴とする請求項１に記載の医療デバイス。
【請求項７】
無線ウェブ対応ユニットが、ＴＣＰ上のプリケーション層コントロールプロトコル及び／又はインターネットプロトコル（ＩＰ）上のＵＤＰで作動するようになっていることを特徴とする請求項１から６のいずれか１項にに記載の医療デバイス。
【請求項８】
前記無線ウェブ対応ユニットが、ＨＴＴＰ、ＨＴＴＰＳ、ＦＴＰ、ＮＴＰ、ＳＭＴＰ、ＰＯＰ３、Ｔｅｌｎｅｔ、ＤＮＳ、ＳＮＭＰ、ＲＩＰ、ＩＰＦＩＸ等のネットワークプロトコル、又は前記プロトコルを使用するクライアント又はサーバサービスに基づくアプリケーション用の他のインターネットプリケーション層プロトコルを使用して通信を行うようになっていることを特徴とする請求項１から７のいずれか１項にに記載の医療デバイス。
【請求項９】
前記無線ウェブ対応ユニットが、少なくとも１つのウェブページを無線ネットワーク経由でブラウザを装備したクライアント（４）に提供するウェブサーバとして構成されていることを特徴とする請求項１から８のいずれか１項にに記載の医療デバイス。
【請求項１０】
前記ブラウザを装備したクライアントが、携帯電話、スマートフォン、携帯情報端末（ＰＤＡ）、ラップトップ型コンピュータ、タブレット型コンピュータ（タブレットＰＣ）、デスクトップ型コンピュータ、又は他のウェブブラウザを装備したデバイスからなるグループから選択されることを特徴とする請求項９に記載の医療デバイス。
【請求項１１】
前記無線ウェブ対応ユニットが、ウェブクライアントとして構成され、無線ネットワーク経由でサーバからのインターネットサービスを使用するようになっていることを特徴とする請求項１から１０のいずれか１項にに記載の医療デバイス。
【請求項１２】
前記無線ウェブ対応ユニットが、ｅ−ｍａｉｌサービスデバイスとして構成され、医療デバイスがｅ−ｍａｉｌメッセージを使用して通信できるようになっていることを特徴とする請求項１から１１のいずれか１項にに記載の医療デバイス。
【請求項１３】
前記無線ウェブ対応ユニッが、ＮＴＰ、ＳＮＴＰ、ＤＴＰクライアントとして構成され、時刻サーバに問い合わせをおこなうようになっていることを特徴とする請求項１から１２のいずれか１項にに記載の医療デバイス。
【請求項１４】
前記無線インターフェイス制御ユニットが、ＲＦ技術を使用して通信を行うように構成されていることを特徴とする請求項１から１３のいずれか１項にに記載の医療デバイス。
【請求項１５】
前記無線インターフェイス制御ユニットが、Ｂｌｕｅｔｏｏｔｈ（登録商標）技術を使用して通信を行うように構成されていることを特徴とする請求項１４に記載の医療デバイス。
【請求項１６】
前記無線インターフェイス制御ユニットが、”Ｂｌｕｅｔｏｏｔｈ  ＰＡＮ”プロフィル（ＢＮＥＰを用いたＢｌｕｅｔｏｏｔｈ上のＴＣＰ／ＩＰ）を使用して通信を行うように構成されていることを特徴とする請求項１５に記載の医療デバイス。
【請求項１７】
前記無線インターフェイス制御ユニットが、ＺｉｇＢｅｅ、ＲＦＩＤ、ＨｏｍｅＲＦ、ＷＬＡＮ、ＵＷＢ、ＮＦＣ、又は他の非Ｂｌｕｅｔｏｏｔｈ  ＲＦ技術を使用して通信を行うように構成されていることを特徴とする請求項１４に記載の医療デバイス。
【請求項１８】
前記無線インターフェイス制御ユニットが、無線式の非ＲＦ技術、特に赤外線ビームを使用して通信を行うように構成されていることを特徴とする請求項１から１３のいずれか１項にに記載の医療デバイス。
【請求項１９】
前記無線ウェブ対応ユニットが、シングルプロセッサに基づくことを特徴とする請求項１から１８のいずれか１項にに記載の医療デバイス。
【請求項２０】
前記無線インターフェイス制御ユニットが、２つ又はそれ以上の別個のプロセッサ上に設定されることを特徴とする請求項１から１８のいずれか１項にに記載の医療デバイス。
【請求項２１】
前記無線ウェブ対応ユニットが、ウェブ対応ユニットと前記医療デバイス制御ユニットとの間のインターフェイスを更に含むことを特徴とする請求項１から２０のいずれか１項にに記載の医療デバイス。
【請求項２２】
前記インターフェイスが、ウェブ対応ユニットから受信したデータ及び／又は情報及び／又はウェブコンテンツに基づく医療デバイス制御ユニットに関するコマンドを生成することを特徴とする請求項２１に記載の医療デバイス。
【請求項２３】
前記インターフェイスが、医療デバイス制御ユニットから受信したコマンドに基づくウェブ対応ユニットに関するデータ及び／又は情報及び／又はウェブコンテンツを生成することを特徴とする請求項２１に記載の医療デバイス。
【請求項２４】
前記無線ウェブ対応ユニットが、権限のないデバイスとの無線ネットワークを使用したデータ交換を阻止するように構成されていることを特徴とする請求項１から２３のいずれか１項にに記載の医療デバイス。
【請求項２５】
前記無線ウェブ対応ユニットが、ＶＰＮ，  ＩＰｓｅｃ、ＳＳＨ（Ｓｅｃｕｒｅ  Ｓｈｅｌｌ）、又はＳＳＬ（Ｓｅｃｕｒｅ  Ｓｏｃｋｅｔｓ  Ｌａｙｅｒ）等のセキュア通信（暗号化他）を使用するように構成されていることを特徴とする請求項１から２４のいずれか１項にに記載の医療デバイス。
【請求項２６】
請求項１から２５のいずれか１項による携帯型、装着型、埋込型、又は半埋込型の医療デバイス、特に、ポケットサイズ又はポケットサイズ未満の医療デバイス（１）を制御するための方法であって、
ｉ．ブラウザを装備したクライアント（４）が医療デバイス制御ユニット（５）をネットワーク（３）経由で設定できるように構成されている医療デバイスに収容された、少なくとも１つの組み込み型ウェブサーバを使用して、少なくとも１つのウェブページを提供する段階と、
ｉｉ．少なくとも１つのウェブページとのクライアント対話に応答して、医療デバイス制御ユニットのコンフィギュレーションを変更する段階と、
を含むことを特徴とする方法。
【請求項２７】
前記医療デバイスがインスリンポンプであり、前記ネットワーク経由の前記コンフィギュレーション変更が、前記インスリンポンプのパラメータ設定値に関して、及び／又は前記インスリンポンプの基礎レート変更に関して、及び／又は前記インスリンポンプの時刻及び日付設定値に関して可能になっていること、
又は、前記医療デバイスが血糖測定デバイスであることを特徴とする請求項２６に記載の方法。
【請求項２８】
前記少なくとも１つのウェブページとのクライアント対話に応答して、前記医療デバイス制御ユニットに格納されたデータを前記ブラウザを装備したクライアントに転送する段階を更に含むことを特徴とする請求項２６又は２７のいずれか１項にに記載の方法。
【請求項２９】
前記医療デバイスがインスリンポンプであり、前記データが、ポンプ履歴情報及び／又はファームウェアバージョン及び／又はステータス情報を含むことを、
又は、前記医療デバイスが血糖測定デバイスであり、前記データが、履歴情報及び／又はファームウェアバージョン及び／又はステータス情報を含むことを特徴とする請求項２８に記載の方法。
【請求項３０】
権限のないクライアントとの間のデータ交換を阻止する段階を更に含むことを特徴とする請求項２６から２９のいずれか１項に記載の方法。
【請求項３１】
前記ブラウザを装備したクライアントが、携帯電話、スマートフォン、携帯情報端末（ＰＤＡ）、ラップトップ型コンピュータ、タブレット型コンピュータ（タブレットＰＣ）、デスクトップ型コンピュータ、又は任意の他のウェブブラウザを装備したデバイスから成るグループから選択されることを特徴とする請求項２６から３０のいずれか１項に記載の方法。
【請求項３２】
前記ネットワークが無線ネットワークであり、更に無線パーソナルエリアネットワーク、又は無線ローカルエリアネットワーク、又は無線広域ネットワーク、又は２つ又はそれ以上の該ネットワークの組み合わせであることを特徴とする請求項２６から３１のいずれか１項に記載の方法。
【請求項３３】
前記ネットワークがＢｌｕｅｔｏｏｔｈ（登録商標）パーソナルエリアネットワーク（ＰＡＮ）であり、前記医療デバイスがグループネットワーク（ＧＮ）に相当し、前記ブラウザを装備したクライアンがパーソナルエリアネットワークユーザ（ＰＡＮＵ）に相当し、及び／又は前記医療デバイスがＰＡＮＵに相当し、及び前記ブラウザを装備したデバイスがＧＮ及び／又はＮＡＰ（ネットワークアクセスポイント）に相当することを特徴とする請求項２６から３２のいずれか１項に記載の方法。
【請求項３４】
請求項１から２５のいずれか１項による携帯型、装着型、埋込型、又は半埋込型の医療デバイス、特に、ポケットサイズ又はポケットサイズ未満の医療デバイスを制御するための方法であって、
ｉ．ブラウザを装備したクライアントが医療デバイス制御ユニットをネットワーク経由で操作／制御できるように構成されている組み込み型ウェブサーバを使用して、少なくとも１つのウェブページを提供する段階と、
ｉｉ．少なくとも１つのウェブページとのクライアント対話に応答して医療デバイス制御ユニットの挙動／動作／ステータスを変更する段階と、
を含むことを特徴とする方法。
【請求項３５】
前記医療デバイスがインスリンポンプであり、前記制御可能な機能が、ボーラス投与送出及び／又は読み出し、及び／又は基礎プロファイル変更及び／又は読み出し、及び／又はポンプモード変更及び／又は読み出し及び／又はステータス出力を含むこと、
又は、前記医療デバイスが血糖メータであり前記制御可能な機能が、血糖測定値出力及び／又は血糖測定値読み出しを含むことを特徴とする請求項３４に記載の方法。
【請求項３６】
前記医療デバイス制御ユニットからの動作情報を、少なくとも１つのウェブページを使用してクライアント対話無しでブラウザを装備したクライアントへ送信する段階を更に含むことを特徴とする請求項３４から３５のいずれか１項に記載の方法。
【請求項３７】
前記医療デバイスがインスリンポンプであり、前記動作情報が、警報出力及び／又は基礎レート変更出力を含むことを特徴とする請求項３６に記載の方法。
【請求項３８】
権限のないクライアントとのータ交換を阻止する段階を更に含むことを特徴とする請求項３４から３７のいずれか１項に記載の方法。
【請求項３９】
前記ブラウザを装備したクライアントが、携帯電話、スマートフォン、携帯情報端末（ＰＤＡ）、ラップトップ型コンピュータ、タブレット型コンピュータ（タブレットＰＣ）、デスクトップ型コンピュータ、又は任意の他のウェブブラウザを装備したデバイスから成るグループから選択されることを特徴とする請求項３４から３８のいずれか１項に記載の方法。
【請求項４０】
前記ネットワークが無線ネットワークであり、広域ネットワーク／無線広域ネットワーク（ＷＡＮ／ＷＷＡＮ）、又は該ネットワークの２つ又はそれ以上の組み合わせから成るグループから選択されることを特徴とする請求項３４から３９のいずれか１項に記載の方法。
【請求項４１】
前記ネットワークがＢｌｕｅｔｏｏｔｈ（登録商標）パーソナルエリアネットワーク（ＰＡＮ）であり、前記医療デバイスがグループネットワーク（ＧＮ）に相当し、前記ブラウザを装備したクライアントがパーソナルエリアネットワークユーザ（ＰＡＮＵ）に相当し、及び／又は前記医療デバイスがＰＡＮＴＵに相当し、前記ブラウザを装備したデバイスがＧＮ及び／又はＮＡＰ（ネットワークアクセスポイント）に相当することを特徴とする請求項３４から４０のいずれか１項に記載の方法。
【請求項４２】
請求項１から２５のいずれか１項による携帯型、装着型、埋込型、又は半埋込型の医療デバイス、特に、ポケットサイズ又はポケットサイズ未満の医療デバイスを制御するための方法であって、
ｉ．ブラウザレスクライアントが医療デバイス制御ユニットをネットワーク経由で操作／制御できるように構成されている組み込み型ウェブサーバを使用して、少なくとも１つのウェブページを提供する段階と、
ｉｉ．少なくとも１つのウェブページとのクライアント対話に応答して医療デバイス制御ユニットの挙動／動作／ステータスを変更する段階と、
を含むことを特徴とする方法。
【請求項４３】
前記医療デバイスがインスリンポンプであり、前記制御可能な機能が、ポンプボーラス投与変更及び／又はステータス読み出しを含み、前記変更可能な機能が、ボーラス投与送出及び／又はステータス出力を含んでいる、
又は、医療デバイスが血糖測定デバイスであり、前記制御可能な機能が値読み出しを含み、前記変更可能な機能が値出力を含んでいることを特徴とする請求項４２に記載の方法。
【請求項４４】
前記少なくとも１つのウェブページを使用してクライアント対話無しに動作情報を前記医療デバイス制御ユニットから前記ブラウザレスクライアントへ送信する段階、及び、特に、医療デバイスとしてのインスリンポンプに関して、警報出力及び／又は基礎レート変更出力を送信する段階をを更に含むことを特徴とする請求項４２に記載の方法。
【請求項４５】
権限のないクライアントとのデータ交換を阻止する段階を更に含むことを特徴とする請求項４３又は４０に記載の方法。
【請求項４６】
前記ブラウザレスクライアントが、ＫｅｙＦｏｂ、時計、ＢｅｌｔＦｏｂ、血糖測定器（ＢＧＭ）、ＣＭ、ＤＭ、通信アダプタ、接続アドオン、携帯電話、スマートフォン、携帯情報端末（ＰＤＡ）、ラップトップ型コンピュータ、タブレット型コンピュータ（タブレットＰＣ）、デスクトップ型コンピュータ、又は任意の他のウェブブラウザレスデバイスから成るグループから選択されることを特徴とする請求項４３から４５のいずれか１項に記載の方法。
【請求項４７】
前記ネットワークが、無線ローカルネットワーク、ＷＡＮ／ＷＷＡＮネットワーク、又はこれらの２つ又はそれ以上の組み合わせから成るグループから選択されることを特徴とする請求項４３から４６のいずれか１項に記載の方法。
【請求項４８】
前記ネットワークがＢｌｕｅｔｏｏｔｈ（登録商標）パーソナルエリアネットワーク（ＰＡＮ）であり、前記医療デバイスがグループネットワーク（ＧＮ）に相当し、前記ブラウザを装備したクライアントがパーソナルエリアネットワークユーザ（ＰＡＮＵ）に相当し、及び／又は前記医療デバイスがＰＡＮＵに相当し、及び前記ブラウザを装備したデバイスがＧＮ及び／又はＮＡＰ（ネットワークアクセスポイント）に相当することを特徴とする請求項４３から４７のいずれか１項に記載の方法。
【請求項４９】
血糖値が、血糖測定デバイスからインスリンポンプへウェブベースでアップロードされることを特徴とする請求項２６から４８のいずれか１項に記載の方法。
【請求項５０】
血糖メータ及び／又はインスリンポンプのデータは、ウェブベースで中央記憶媒体に格納及び／又は中央回収されることを特徴とする請求項２６から４９のいずれか１項に記載の方法。
【請求項５１】
前記医療デバイスが、時刻サーバに問い合わせることで、自身で時刻及び／又は日付を有する提供することを特徴とする請求項２６から４８のいずれか１項に記載の方法。
【発明の詳細な説明】
【技術分野】
【０００１】
本発明は、携帯型、装着型、埋込型、又は半埋込型の医療デバイスに関し、詳細には、装着型でポケットサイズのインスリン注入ポンプ等のポケットサイズ又はポケットサイズ未満の医療デバイスに関する。更に、本発明は、このような医療デバイスを制御する方法に関する。
【背景技術】
【０００２】
携帯型医療デバイス、例えば、糖尿病患者の治療のための外部注入ポンプ用のインスリンポンプ等の身体に装着可能なポケットサイズデバイスが公知である。他の携帯型のポケットサイズデバイスとしては、やはり同様に糖尿病治療に使用される血糖測定機器又は糖尿病管理機器（ＤＭ）を挙げることができる。インスリンポンプ用の遠隔制御機器を用意することが知られており、特定の機能は遠隔制御で機能することができ、ユーザが自身の衣服で隠されたポンプを制御する手助けをするようになっている（ＷＯ２０００／０１８９７７）。しかしながら、このような遠隔制御機器は、専用の追加部品であり、ポンプのユーザが携帯する必要があり、このような専用遠隔制御機器の機能性は制限される。
【０００３】
有線ネットワーク又は無線ＬＡＮ（ＷＬＡＮ）を備えた病院環境において、最近、別個のウェブサーバボックスを備えて、遠く離れたパーソナルコンピュータで患者の状態を監視することができるように、据え置き型の病院の注入ポンプ及びオキシメータをネットワークに接続することが提案されている。
【０００４】
【特許文献１】ＷＯ２０００／０１８９７７
【発明の開示】
【発明が解決しようとする課題】
【０００５】
本発明の目的は、ユーザが、必要であれば医療関係者が快適で分かり易い方法でデバイスを制御することを可能にする、個人用の携帯型、装着型、埋込型、又は半埋込型医療デバイスを提供することである。本発明の別の目的は、このような個人用の小型医療デバイスを設定、制御、及び監視するための方法を提供することにある。
【課題を解決するための手段】
【０００６】
この目的を達成するために、本発明は、一方においては、携帯型、装着型、埋込型、又は半埋込型医療デバイス、特にポケットサイズ又はポケットサイズ未満の医療デバイスを備え、該デバイスは、ハウジングと、該ハウジング内の医療デバイス、特にその機能ユニットを制御するようになったデバイス制御ユニットとを備える。該デバイスは、更に、ハウジング内に、無線式で情報、特にデータ／メッセージ／ウェブコンテンツを送受信するための受信器及び送信器を含む無線インターフェイス制御ユニットを有する無線ウェブ対応ユニットと、無線インターフェイス制御ユニット及び医療デバイス制御ユニットに接続されるウェブ対応ユニットとを備える。無線インターフェイス制御ユニット及びウェブ対応ユニットは、医療デバイス制御ユニットをウェブベース無線ネットワークに接続するように構成されているので、医療デバイスは、無線式ウェブ対応であり、特にポケットサイズ又はポケットサイズ未満の医療デバイスであり、無線式ウェブ対応機器を直接ハウジング内に組み込んである。
【０００７】
ネットワークに無線式で接続可能なデバイスのハウジング内にウェブサーバを内蔵した、個人用のポケットサイズ医療デバイス（例えば、７×５×２ｃｍ又は携帯電話の寸法又は類似の寸法）により、デバイスは、ネットワークに接続可能で、個人用の医療デバイスのウェブページを表示するか又は処理することができる任意のデバイスからの問い合わせを受けること及び／又はそれにより制御されることが可能である。好適な実施形態において、デバイスは、個人用の携帯型インスリンポンプであり、更に好適な実施形態において、デバイスは、血糖測定デバイス又は糖尿病管理デバイスである。
【０００８】
別の実施形態において、医療デバイスは、１回分ベースで液体を送出するようになっており、特にインスリンペンとして知られている。
【０００９】
好適な実施形態において、無線ウェブ対応ユニットは、ＴＣＰ上のプリケーション層プロトコル及び／又はＩＰ上のＵＤＰ（ＴＣＰ／ＩＰスタック）で作動するようになっている。デバイスは、ＨＴＴＰ、ＨＴＴＰＳ、ＦＴＰ、ＮＴＰ、ＳＭＴＰ、ＰＯＰ３、Ｔｅｌｎｅｔ、ＤＮＳ、ＳＮＭＰ、ＲＩＰ、ＩＰＦＩＸ、又はこれらのプロトコルを用いたクライアント又はサーバサービスに基づくアプリケーションに関する他のインターネットプリケーション層プロトコネットワーク等のプロトコルを用いて通信を行うことができるようになっている。好ましくは、医療デバイスの装着者がデバイスのコンフィギュレーション及び／又は制御及び／又は問い合わせを行うことを可能にするブラウザを装備したクライアントは、携帯電話、スマートフォン、携帯情報端末（ＰＤＡ）、ラップトップ型コンピュータ、タブレット型コンピュータ（タブレットＰＣ）、デスクトップ型コンピュータ、又は他のウェブブラウザを装備したデバイス、及び例えばｊａｖａベースのマイクロブラウザ技術を利用したブラウザレスデバイスからなるグループから選択される。これにより、装着者は、自由にアクセス可能で、医療デバイスの遠隔制御としてのみ機能する専用の制御デバイスを必要としない、任意のブラウザを装備したデバイスによって、医療デバイスを快適に管理することができる。
【００１０】
更に、医療デバイスの無線ウェブ対応ユニットは、無線ネットワーク経由でサーバからのインターネットサービスを使用するためのウェブクライアントとして構成することが可能であり、例えば、無線ウェブ対応ユニットは、時刻サーバに問い合わせを行うＮＴＰクライアントとして構成される。好適な実施形態において、無線インターフェイス制御ユニットは、ＲＦ技術を用いて通信を行うように構成され、好ましくは、Ｂｌｕｅｔｏｏｔｈ（登録商標）技術を用いて通信を行うように構成される。この場合、医療デバイスは、無線インターフェイス制御ユニットが”Ｂｌｕｅｔｏｏｔｈ  ＰＡＮ”プロファイル（ＢＮＥＰ（Ｂｌｕｅｔｏｏｔｈ  Ｎｅｔｗｏｒｋ  Ｅｎｃａｐｓｕｌａｔｉｏｎ  Ｐｒｏｔｏｃｏｌ）を用いたＢｌｕｅｔｏｏｔｈ上のＴＣＰ／ＩＰ）を用いて通信するように構成されるようになっていてもよい。
【００１１】
医療デバイスの別の実施形態において、無線インターフェイス制御ユニットは、ＺｉｇＢｅｅ、ＲＦＩＤ、ＨｏｍｅＲＦ、ＷＬＡＮ、ＵＷＢ、ＮＦＣ、又は他の非Ｂｌｕｅｔｏｏｔｈ  ＲＦ技術を用いて通信を行うように、又は無線式の非ＲＦ技術、特に赤外線ビームを用いて通信するように構成される。
【００１２】
医療デバイスの無線ウェブ対応ユニットは、シングルプロセッサに基づくもの、又は２つ又はそれ以上の別個のプロセッサ上のセットアップとすることができる。無線ウェブ対応ユニットは、ＣＧＩ機能を備えるウェブサーバから成るゲートウェイ・コンピュータとして構成することができ、医療デバイスプロセッサとの通信は、シリアルインターフェイス上の専用プロトコルを用いて行う。もしくは、医療デバイスプロセッサユニットをモデム経由でネットワークに接続するためのネットワーク・ダイアルアップ・アーキテクチャを用いた医療デバイスプロセッサユニットと、モデムとしてのウェブ対応ユニットとの間のシリアルインターフェイス接続を必要とすることなく、直接的なネットワーク接続を実現するために、無線ウェブ対応ユニットは、医療デバイスプロセッサユニットに組み込むことができる。更に、デバイスの無線ウェブ対応ユニットは、ウェブ対応ユニットと医療デバイス制御ユニットとの間のインターフェイス（ＣＧＩ：Ｃｏｍｍｏｎ／Ｕｎｃｏｍｍｏｎ  Ｇａｔｅｗａｙ  Ｉｎｔｅｒｆａｃｅ）を備えることができる。
【００１３】
好適な実施形態において、インターフェイスは、ウェブ対応ユニットから受信したデータ及び／又は情報及び／又はウェブコンテンツに基づいて、医療デバイス制御ユニットに関するコマンドを発生する（ウェブ対応機器によるコマンド発生）。別の実施形態において、インターフェイスは、医療デバイス制御ユニットから受信したコマンドに基づいて、ウェブ対応ユニットに関するデータ及び／又は情報及び／又はウェブコンテンツを発生する（ウェブ対応機器による動的ウェブページコンテンツ発生）。
【００１４】
好ましくは、無線ウェブ対応ユニットは、無線ネットワーク自体がもたらすセキュリティと一緒になって標準ベースのインターネットセキュリティをもたらすために、無線ネットワークを利用する権限のないデバイス及び／又はユーザとのデータ交換を阻止するように構成されている。別の実施形態において、無線ウェブ対応ユニットは、ＶＰＮ、ＩＰＳｅｃ、ＳＳＨ（Ｓｅｃｕｒｅ  Ｓｈｅｌｌ）、又はＳＳＬ（Ｓｅｃｕｒｅ  Ｓｏｃｋｅｔｓ  Ｌａｙｅｒ）等のセキュア通信（暗号化など）を使用するように構成されており、結果的に高度な標準インターネットセキュリティが付与される。
【００１５】
本発明は、個人用の装着型ポケットサイズの医療デバイスの完全な制御を可能にする方法を更に提供する。この目的を達成するために、携帯型、装着型、埋込型、又は半埋込型の医療デバイス、特にポケットサイズ又はポケットサイズ未満の医療デバイスを制御する第１の方法において、該方法は、ブラウザを装備したクライアントがネットワーク経由で医療デバイス制御ユニットを設定することを可能にするように構成された、医療デバイスに収容される少なくとも１つの組み込み型ウェブサーバを使用して、少なくとも１つのウェブページを提供する段階と（医療プロバイダ（ＨＣＰ）コンフィギュレーション＆患者コンフィギュレーションツール）、少なくとも１つのウェブページと対話するクライアントに応答して、医療デバイス制御ユニットのコンフィギュレーション／設定／パラメータを変更する段階とを含む。
【００１６】
本発明の別の方法によれば、携帯型、装着型、埋込型、又は半埋込型の医療デバイス、特にポケットサイズ又はポケットサイズ未満の医療デバイスを制御する方法は、ブラウザを装備したクライアントがネットワーク経由で医療デバイス制御ユニットを操作／制御することが可能なように構成された組み込み型ウェブサーバを使用して少なくとも１つのウェブページを提供する段階と、少なくとも１つのウェブページと対話するクライアントに応答して医療デバイス制御ユニットの挙動／動作／ステータスを変更する段階とを含む。
【００１７】
本発明の別の方法によれば、携帯型、装着型、埋込型、又は半埋込型の医療デバイスのデータをアップロードする方法は、医療デバイスからリモートサーバへ１つ又はそれ以上のデータパケットを送るための無線ネットワーク経由のローカルサービスクライアントからリモートサービスクライアントへの接続を初期化する段階を含む。携帯型、装着型、埋込型、又は半埋込型の医療デバイス、特にポケットサイズ又はポケットサイズ未満の医療デバイスを制御するための更に別の方法は、ブラウザレスクライアントがネットワーク経由で医療デバイス制御ユニットを操作／制御することが可能なように構成された組み込み型ウェブサーバを使用して少なくとも１つのウェブページを提供する段階と、少なくとも１つのウェブページとのクライアント対話に応答して医療デバイス制御ユニットの挙動／動作／ステータスを変更する段階とを含むことができる。前記方法の後者の実施形態において、ブラウザレスクライアントは、ＫｅｙＦｏｂ、時計、ＢｅｌｔＦｏｂ、血糖測定器（ＢＧＭ）、連続測定デバイス  ＣＭ、糖尿病管理デバイス  ＤＭ、通信アダプタ、接続アドオン、携帯電話、スマートフォン、携帯情報端末（ＰＤＡ）、ラップトップ型コンピュータ、タブレット型コンピュータ（タブレットＰＣ）、デスクトップ型コンピュータ、又は他のウェブブラウザレスデバイスから成るグループから選択されるのが好ましい。別の方法において、ブラウザを装備したクライアントは、携帯電話、スマートフォン、携帯情報端末（ＰＤＡ）、ラップトップ型コンピュータ、タブレット型コンピュータ（タブレットＰＣ）、デスクトップ型コンピュータ、又は、ＢＧＭ、ＣＭ、又はＤＭ等とすることができる他のウェブブラウザを装備したデバイスから成るグループから選択することができる。
【００１８】
医療デバイスはインスリンポンプであり、ネットワーク経由のコンフィギュレーション変更は、インスリンポンプのパラメータ設定、及び／又はインスリンポンプの基礎レートの変更、及び／又はインスリンポンプの時刻及び日付設定に関して有効であることが好ましい。別の好適な方法において、医療デバイスは血糖測定デバイスである。
【００１９】
少なくとも１つのウェブページとのクライアント対話に応答して、医療デバイス制御ユニットに格納されたデータを、ブラウザを装備したクライアントに転送する段階を含むことが好ましく、医療デバイスはインスリンポンプであり、データは、ポンプ履歴情報、及び／又はファームウェアバージョン、及び／又はステータス情報を含むことが好ましい。医療デバイスは血糖測定デバイスであり、データは、履歴情報、及び／又はファームウェアバージョン、及び／又はステータス情報を含むことが更に好ましい。
【００２０】
ネットワークは、無線パーソナルエリアネットワーク、無線ローカルエリアネットワーク、広域ネットワーク、これらのネットワークの２つ又はそれ以上を組み合わせたもの、又はこれらのネットワークを１つ又はそれ以上の有線ネットワークと組み合わせたものを含む。好ましくは、ネットワークはＢｌｕｅｔｏｏｔｈ（登録商標）パーソナルエリアネットワーク（ＰＡＭ）であり、医療デバイスはネットワーク（ＧＮ）に相当し、ブラウザを装備したクライアントはパーソナルエリアネットワークユーザ（ＰＡＮＵ）に相当し、及び／又は医療デバイスはＰＡＮＵに相当し、ブラウザを装備したデバイスはＧＮ及び／又はＮＡＰ（ネットワークアクセスポイント）に相当する。．
【００２１】
医療デバイスがインスリンポンプの場合、制御可能な機能は、好ましくはボーラス投与送出／読み出し、及び／又は基礎プロファイル変更／読み出し、及び／又はポンプモード変更／読み出し、及び／又はステータス出力を含む。医療デバイスが血糖メータの場合、制御可能な機能は、好ましくは血糖測定値出力及び／又は血糖測定値読み出しを含む。
【００２２】
本方法の好適な実施形態において、本方法は、少なくとも１つのウェブページを用いてクライアント対話無しで動作情報を医療デバイス制御ユニットからブラウザを装備したクライアントへ送信する段階を含む。医療デバイスがインスリンポンプの場合、動作情報は、警報出力及び／又は基礎レート変更出力を含むことができる。
【００２３】
本方法は、ウェブベースで血糖測定デバイスからインスリンポンプへ血糖値をアップロードする段階を含むことができる。更に、血糖メータ及び／又はインスリンポンプのデータは、中央記憶装置にウェブベースで格納及び／又は中央回収されることができる。更に、医療デバイスはウェブクライアントとすることができ、ＮＴＰ、ＳＮＴＰ、ＤＴＰ等の専用の又は標準ベースのプロトコルを使用して時刻サーバに問い合わせることで、自身で時刻及び／又は日付を有することができる。
【００２４】
以下の詳細な説明を検討すると、本発明を良く理解することができ、前記以外の目的が分かるはずである。詳細な説明は添付図面を参照しており、幾つかの図面において同じ参照番号は対応する構成要素を示している。
【発明を実施するための最良の形態】
【００２５】
本発明との関連において、医療デバイスという用語は、従来公知であり機械的構造及び電気的構造は本発明で必要である場合を除いて詳細に説明しないインスリンポンプ又は他の個人用の薬剤ポンプ、及び血糖レベルを試験する携帯型デバイスである血糖メータ（ＢＧＭ）を含むことが好ましく、血糖レベルを試験は、通常、メータ内に挿入される小型ストリップ上に血滴（フィンガープリックによる採血）を落とすことで行われる。メータは、血糖レベルを計算して表示する。本発明との関連において更に好ましい医療デバイスは、連続して血糖レベルを監視するための連続監視（ＣＭ）デバイス、インスリン用量を注入するためのインスリンペン、及び、データ又は糖尿病管理（ＤＭ）ツール又はデバイス、又はこれらのツールを任意に組み合わせたものである。
【００２６】
図１は、非常に基本的な個人用の携帯型の装着型又は埋込型又は半埋込型の医療デバイス１を示し、該デバイスはハウジング２を有しており、好ましくはポケットサイズ又はポケットサイズ未満の医療デバイスである。この形式の好ましいデバイスは、注入デバイス、特にインスリンポンプである。他の好ましいデバイス１は血糖メータである。本発明によれば、デバイス１はウェブ対応であり、ブラウザを用いて又はブラウザが無い場合でもネットワーク３にアクセス可能なデバイス４は、ネットワーク経由で医療デバイス１とデータを交換することができる。例えば、デバイス４は、携帯電話、パーソナルコンピュータ、携帯情報端末（ＰＤＡ）、又は他のブラウザを装備したクライアントとすることができる。ネットワーク３は、無線ＰＡＮ形式、好ましくはＢｌｕｅｔｏｏｔｈ（登録商標）ＰＡＮ形式のパーソナルエリアネットワーク（ＰＡＮ）であってもよい。更に、ネットワークは、無線ローカルエリアネットワーク（ＷＬＡＮ）、又はメトロポリタンエリアネットワーク、広域ネットワーク、グローバルエリアネットワーク、又は仮想プライベートネットワーク等の非ローカルネットワークであってもよい。デバイス４は、別のネットワーク３’経由でネットワーク３にアクセスすることができる。
【００２７】
ブラウザを装備したクライアント４によりネットワーク３経由で医療デバイス１を制御する好ましい方法において、医療デバイスは、デバイス４によって設定可能であり、このデバイスは、本実施形態では医療デバイスの組み込み型ウェブサーバによってもたらされるウェブページ上で医療デバイスのコンフィギュレーションを可能にするコンフィギュレーションデバイスである。本方法の好適な実施形態において、医療デバイスは、医療デバイスの組み込み型ウェブサーバによって少なくとも１つのコンフィギュレーションウェブページを提供することによって設定され、このコンフィギュレーションページにより、コンフィギュレーションデバイスのユーザは、例えば、ウェブページが示唆する設定値をクリックすること又はウェブページ上に設定値を入力することができ、コンフィギュレーションデータは医療デバイスの組み込み型ウェブサーバに供給される。このコンフィギュレーションデータは、医療関係者のみがアクセスできるグループ、又は医療関係者のものよりも更に制限された方法で患者がアクセスできるグループとすることができる、別個のグループに分けることができる。コンフィギュレーション設定値をウェブページ上に入力すると、医療デバイス制御ユニットのコンフィギュレーションが変更され、少なくとも１つのウェブページを用いたデバイス４のクライアント対話に応答して、デバイスが実際に制御されることになる。このようにして、医療デバイスのコンフィギュレーション可能なパラメータの全ては設定又は変更することができる。医療デバイスとしてのインスリンポンプの場合、このようなコンフィギュレーション変更は、例えば、基礎レート変更又は時刻／日付設定値を含むことができる。図９は、医療デバイス（インスリンポンプ）によって提供され、コンフィギュレーションデバイスによってアクセス可能なコンフィギュレーションページの例を示す。ここには多数の設定可能なポンプコンフィギュレーションが示されており、その全ては当業者には公知である。ウェブページから分かるように、設定されることになる医療デバイス、特にインスリンポンプの機能は、示されているそれぞれのフィールドに関連するアップダウンボタンによって、ページ上で選択して変更することができる。ページが適切に変更されると、ポンプは、ウェブサーバからコンフィギュレーション設定値を取得することになる。もちろん、この目的を達成するために設けられた少なくとも１つのウェブページとの対話により、組み込み型ウェブサーバによって、医療デバイス制御ユニットに格納されたデータをクライアント４へ転送することも可能である。このようなデータとしては、ポンプ履歴情報、ファームウェアバージョン情報、又はステータス情報を挙げることができる。
【００２８】
図２は、ハウジング２に格納された組み込み型ウェブサーバを有する医療デバイス１を制御する別の方法を示し、この場合、医療デバイスは、同一の又は別のデバイス４によって設定されるのではなく操作及び制御され、デバイス４は、この場合、医療デバイス１に関する操作デバイスとして使用される。この場合、組み込み型ウェブサーバは、医療デバイスの操作データを読み出すこと又は変更することが可能な少なくとも１つのページを提供するので、医療デバイスは、この操作において実際に制御される。この場合、医療デバイス制御ユニットは、医療デバイス１の組み込み型ウェブサーバによって提供される対応するウェブページとのクライアント対話に応答して、その操作（機能）を変更することになる。インスリンポンプの場合、そのような機能は、例えば、ブラウザを装備したクライアント４によって制御可能なポンプｒｃボーラス投与量及びボーラス投与送出設定値とすることができ、結果的に、ポンプは、選択された又は入力されたボーラス投与値で作動することになる。もちろん、この操作モードにおいて、更にウェブページ上にステータス読み出し機能を付加すること、及びウェブページ上の対応フィールドを選択することによって、クライアント４へのステータス出力を生成することも可能になる。血糖メータの場合、例えば、値読み出しは、ＢＧＭの組み込み型ウェブサーバの対応するウェブページ上で、クライアントで閲覧することで選択することができる。
【００２９】
別の実施形態において、操作デバイス４はブラウザレスクライアントであり、例えば、ＫｅｙＦｏｂ、時計、ＢｅｌｔＦｏｂ、血糖メータ、糖尿病管理ＤＭ、又はＣＭである。この場合、同様に、ネットワークは、任意の無線ネットワーク、例えば、広域ネットワークとすることができるが、好ましくはＢｌｕｅｔｏｏｔｈ（登録商標）ＰＡＮネットワークである。
【００３０】
図３は、本発明による特定の実施形態を示し、携帯型医療デバイス１は、別の医療デバイス４で使用される。図４は、ウェブ対応通信デバイスによる医療デバイスウェブサービス利用法を示し、図５は、ウェブ対応医療デバイスによる通信デバイスウェブサービス利用法を示す。
【００３１】
図８は、別の説明であり、医療デバイス（ＭＤ）は、特に注入デバイス（ＩＤ）として示されており、クライアントデバイス４は、コンフィギュレーションデバイスとして示されており、無線通信は、Ｂｌｕｅｔｏｏｔｈ（登録商標）によってもたらされる。この図には、それ自体公知の新しいウェブ対応医療デバイス１及びクライアントデバイス４の別個のプロトコル層が、プリケーション層ＨＴＴＰ、トランスポート層ＴＣＰ／ＵＤＰ、インターネット層ＩＰ、及びネットワーク層ＢＮＥＰと一緒に示されている。通信は、Ｂｌｕｅｔｏｏｔｈ（登録商標）ベースバンド及びＢｌｕｅｔｏｏｔｈ（登録商標）無線周波数上で行われ、医療デバイスのコントローラ５へのポートはＢｌｕｅｔｏｏｔｈ（登録商標）モジュールが備えることができる。インスリンポンプ等の注入デバイスの場合、注入デバイスコントローラは、医療デバイスの所要の機能性をもたらす機械構成要素及び電気構成要素を実際に制御する。特に、注入デバイスの好適な実施形態において、ＭＤコントローラは、注入デバイスに収容された中身の注入液体の実際のポンプによる揚水を行う電気モータを制御する。
【００３２】
図６は、ハウジング２と一緒に医療デバイス１の構成要素の簡単なブロック図を示し、これらの構成要素は、図示されていない他の機械構成要素及び電気構成要素と一緒に設けられる。特に、これらの機械構成要素及び電気構成要素を制御する注入デバイスコントローラは、ボックス５として示されている。このコントローラは、サーバインターフェイス（ＣＧＩ）６経由でウェブサーバ７と通信を行う。このウェブサーバは、ＴＣＰ／ＩＰ  Ｂｌｕｅｔｏｏｔｈ（登録商標）モジュール８経由でネット３に接続する。ここではコンフィギュレーションデバイスとして表記されているが、もちろん同様に前述の操作デバイスとすることができる、クライアントデバイス４側では、ネット３への接続が同様に、Ｂｌｕｅｔｏｏｔｈ（登録商標）ＴＣＰ／ＩＰモジュール９によってもたらされており、モジュール９は、ウェブブラウザ・アプリケーション１０と通信を行うようになっている。これらの全ての構成要素は当業者には公知でなので、これらの機能及び詳細な構成は詳しく説明する必要はない。
【００３３】
図７は、医療デバイス１、及び医療デバイス１内のブロック１２として無線ウェブ対応ユニットを示し、ブロック１２は、医療デバイス制御ユニット５に接続されている。ここでも同様に表記されたブロックは当業者には公知でなので、これらの機能及び詳細な構成は詳しく説明する必要はない。ＭＤコントローラ５は、医療デバイス１の全ての制御可能な機械構成要素及び電気構成要素に接続し、機械構成要素及び電気構成要素はハウジング２内又はその上にあり、同様にこれらは図示されてはいないが、医療デバイス、特に携帯型インスリンポンプの当業者には公知である。もちろん個人用の携帯型デバイス１の電源は同様に組み込まれているが図示されていない。
【００３４】
本発明及びその好適な実施形態は、特にＰＣ、ＰＤＡ、又はスマートフォン等の公知の個人用デバイスによるポンプ操作のために、インスリンポンプにＢｌｕｅｔｏｏｔｈ（登録商標）ウェブベースのユーザインターフェイスを提供する。更に、ＰＣ、ＰＤＡ、スマートフォン等の公知のデバイスによるポンプコンフィギュレーションのために、インスリンポンプに、Ｂｌｕｅｔｏｏｔｈ（登録商標）ウェブベースのユーザインターフェイスを提供する。更に、ＬＡＮ、ＷＡＮ、ＷＷＡＮ、又はＡｃｃｅｓｓ  Ｐｏｉｎｔ上のＰＣによるリモートポンプコンフィギュレーションのために、インスリンポンプにＢｌｕｅｔｏｏｔｈ（登録商標）ウェブベースのユーザインターフェイスを提供する。更に、ＫｅｙＦｏｂによるＢｌｕｅｔｏｏｔｈ（登録商標）ウェブベースのポンプ操作、又はＤＭ（糖尿病管理）ツールによるＢｌｕｅｔｏｏｔｈ（登録商標）ウェブベースのポンプ操作が提供される。更に、血糖測定器（ＢＧＭ）又は連続監視デバイス（ＣＭ）からインスリンポンプへのＢｌｕｅｔｏｏｔｈ（登録商標）ウェブベースの血糖（ＢＧ）値アップロードが提供される。更に、Ｂｌｕｅｔｏｏｔｈ（登録商標）ウェブベースの集中型データストレージ（そのようなデータを格納するサーバ上で、アクセスポイント経由又はＬＡＮ／ＷＡＮ／ＷＷＡＮによる）が提供される。
【００３５】
好ましくは、無線ウェブ対応ユニットは、シングルプロセッサに基づいており、ｃｓｒ（Ｃａｍｂｒｉｄｇｅ  Ｓｉｌｉｃｏｎ  Ｒａｄｉｏ  Ｌｔ．）ＢｌｕｅＣｏｒｅ  ＢｌｕｅＬａｂ  独立型ＶＭアプリケーションとすることができる。無線インターフェイス制御ユニットは、２つの別個のプロセッサ上に設定することができ、ｃｓｒ（Ｃａｍｂｒｉｄｇｅ  Ｓｉｌｉｃｏｎ  Ｒａｄｉｏ  Ｌｔ．）ＢｌｕｅＣｏｒｅ  ＢＣＨＳ  ホストＳＷソルーションとすることができる。更に、無線ウェブ対応ユニットは、ウェブ対応ユニットと医療デバイス制御ユニットとの間にインターフェイスを備え、該インターフェイスはＣＧＩ（コモンゲートウエイインターフェイス）である。インターフェイスは、ウェブ対応ユニットから受信した  データ及び／又は情報及び／又はウェブコンテンツに基づく医療デバイス制御ユニットに関するコマンドを生成する。インターフェイスは、医療デバイス制御ユニットから受信したコマンドに基づくウェブ対応ユニットに関するデータ及び／又は情報及び／又はウェブコンテンツを生成することができるので、ウェブ対応機器による動的ウェブページコンテンツ生成がもたらされる。Ｐｒｅｆｅｒａｂｌｙ，  ｔｈｅ  ネットワークは、Ｂｌｕｅｔｏｏｔｈ（登録商標）パーソナルエリアネットワーク（ＰＡＮ）であり、医療デバイスは、グループネットワーク（ＧＮ）に相当し、ブラウザを装備したクライアントは、パーソナルエリアネットワークユーザ（ＰＡＮＵ）に相当することが好ましい。
【００３６】
前述の又はウェブ対応機器の分野に通常関連する以下の用語は当業者にはよく知られている。
パーソナルエリアネットワーク（ＰＡＮ）
無線ＬＡＮ（ＷＬＡＮ）
仮想プライベートネットワーク（ＶＰＮ）
クライアントサーバシステム：クライアントがサーバへの接続を確立する。クライアントはアプリケーションへのユーザインターフェイスを備える。サーバは機能性を備える。
サーバプログラム：サービスを実行するプログラム。
インターネットプロトコル：
−プリケーション層：ＨＴＴＰ、ＨＴＴＰＳ、ＦＴＰ、ＳＭＴＰ、ＰＯＰ３、ＴＥＬＮＥＴ、ＤＮＳ、ＳＮＭＰ、ＲＩＰ、ＩＰＦＩＸ
−トランスポート層：ＴＣＰ、ＵＤＰ、ＳＣＴＰ
−ネットワーク層：ＩＰ（ＩＰＶ４、ＩＰＶ６）
プリケーション層プロトコル
ＨＴＴＰ−Ｈｙｐｅｒｔｅｘｔ  Ｔｒａｎｓｆｅｒ  Ｐｒｏｔｏｃｏｌ
ＦＴＰ−Ｆｉｌｅ  Ｔｒａｎｓｆｅｒ  Ｐｒｏｔｏｃｏｌ
ＳＳＨ−Ｓｅｃｕｒｅ  Ｓｈｅｌｌ
ＳＭＴＰ−Ｓｉｍｐｌｅ  Ｍａｉｌ  Ｔｒａｎｓｆｅｒ  Ｐｒｏｔｏｃｏｌ
ＰＯＰ３−Ｐｏｓｔ  Ｏｆｆｉｃｅ  Ｐｒｏｔｏｃｏｌ  （Ｖｅｒｓｉｏｎ  ３）
Ｔｅｌｎｅｔ−Ｌｏｇｉｎ（ｒｅｍｏｔｅ  ｔｅｒｍｉｎａｌ）
ＤＮＳ（Ｄｏｍａｉｎ  Ｎａｍｅ  Ｓｙｓｔｅｍ）
ＳＮＭＰ−Ｓｉｍｐｌｅ  Ｎｅｔｗｏｒｋ  Ｍａｎａｇｅｍｅｎｔ  Ｐｒｏｔｏｃｏｌ
ＭＢＳ／ＩＰ−Ｍｕｌｔｉ−ｐｕｒｐｏｓｅ  Ｂｕｓｉｎｅｓｓ  Ｓｅｃｕｒｉｔｙ  ｏｖｅｒ  ＩＰ
ＲＩＰ（Ｒｏｕｔｉｎｇ  Ｉｎｆｏｒｍａｔｉｏｎ  Ｐｒｏｔｏｃｏｌ）
ＴＣＰ（Ｔｒａｎｓｍｉｓｓｉｏｎ  Ｃｏｎｔｒｏｌ  Ｐｒｏｔｏｃｏｌ）
ＵＤＰ（Ｕｓｅｒ  Ｄａｔａｇｒａｍ  Ｐｒｏｔｏｃｏｌ）
ＩＰ（Ｉｎｔｅｒｎｅｔ  Ｐｒｏｔｏｃｏｌ）
ＩＣＭＰ（Ｉｎｔｅｒｎｅｔ  Ｃｏｎｔｒｏｌ  Ｍｅｓｓａｇｅ  Ｐｒｏｔｏｃｏｌ）
ＯＳＰＦ（Ｏｐｅｎ  Ｓｈｏｒｔｅｓｔ  Ｐａｔｈ  Ｆｉｒｓｔ）
ＢＧＰ（Ｂｏｒｄｅｒ  Ｇａｔｅｗａｙ  Ｐｒｏｔｏｃｏｌ）
ＡＲＰ（Ａｄｄｒｅｓｓ  Ｒｅｓｏｌｕｔｉｏｎ  Ｐｒｏｔｏｃｏｌ）
ＲＡＲＰ（Ｒｅｖｅｒｓｅ  Ａｄｄｒｅｓｓ  Ｒｅｓｏｌｕｔｉｏｎ  Ｐｒｏｔｏｃｏｌ）
ネットアクセス層：ＴＣＰ／ＩＰに含まれない。例えば、イーサネット（登録商標）、ＩＥＥＥ  ８０２．３、ＴｏｋｅｎＢｕｓ  ＩＥＥＥ  ８０２．４、Ｔｏｋｅｎ  Ｒｉｎｇ  ＩＥＥＥ  ８０２．５、ＦＤＤＩ−Ｆｉｂｅｒ  Ｄｉｓｔｒｉｂｕｔｅｄ  Ｄａｔａ  Ｉｎｔｅｒｆａｃｅ、ＷＬＡＮ  ＩＥＥＥ  ８０２．１１、ＰＰＰ−Ｐｏｉｎｔ−ｔｏ−Ｐｏｉｎｔ  Ｐｒｏｔｏｃｏｌ  ＩＥＥＥ  １３９４
【００３７】
本発明の現時点で好適な実施形態が示されて説明されているが、本発明はそれらに限定されるものではなく、請求項の範囲内で別の方法で種々に具現化して実施できることを理解されたい。
【図面の簡単な説明】
【００３８】
【図１】ネットワーク経由で設定可能な医療デバイスの概略説明図である。
【図２】医療デバイスの操作及び制御に関する概略説明図である。
【図３】医療デバイスが、医療デバイスのコンフィギュレーション、及び／又は操作／制御のために使用される概略説明図である。
【図４】ウェブ対応通信デバイスによる医療デバイスウェブサービス利用法を示す。
【図５】ウェブ対応医療デバイスによる通信デバイスウェブサービス利用法を示す。
【図６】Ｂｌｕｅｔｏｏｔｈ（登録商標）ネットワーク上の医療デバイスに関するコンフィギュレーションシステムの概略説明図である。
【図７】ハードウェアソリューションの概略図である。
【図８】ウェブサーバ性能を有する組み込み型Ｂｌｕｅｔｏｏｔｈ（登録商標）コントローラを備えたコンフィギュレーションシステムのエンド・ツー・エンド通信の１例を示す。
【図９】ポンプコンフィギュレーションウェブページのの１例を示す。
【図１】
2008538708.tif 000003
【図２】
2008538708.tif 000004
【図３】
2008538708.tif 000005
【図４】
2008538708.tif 000006
【図５】
2008538708.tif 000007
【図６】
2008538708.tif 000008
【図７】
2008538708.tif 000009
【図８】
2008538708.tif 000010
【図９】
2008538708.tif 000011
【国際調査報告】
2008538708.tif 000012
2008538708.tif 000013
2008538708.tif 000014